(57)【要約】【課題】インナータンクを右ハンドル用及び左ハンドル用に共用することができ、コストダウンを図ることが可能なロータンク設備を提供する。【解決手段】インナータンク１４Ａの左側面及び右側面の上部には、それぞれ、ボールタップ４０の取付孔５０Ｌ，５０Ｒと、ハンドルシャフト３３が通過しうる切欠状部５２Ｌ，５２Ｒとが設けられている。右ハンドル型ロータンク設備１０Ａにおいては、ハンドルシャフト３３は右側面の切欠状部５２Ｒを通ってインナータンク１４Ａ内に入り込み、ボールタップ４０は左側面の取付孔５０Ｌに取り付けられる。左ハンドル型ロータンク設備１０Ｂにおいては、ハンドルシャフト３３は左側面の切欠状部５２Ｌを通ってインナータンク１４Ａ内に入り込み、ボールタップ４０は右側面の取付孔５０Ｒに取り付けられる。【選択図】図１
2006194008.tif 000002
【特許請求の範囲】
【請求項１】
洋風便器の後部上面に設置されるロータンク設備であって、
アウタータンク及び該アウタータンク内に配置されたインナータンクを備え、
該インナータンクの底部にフロート弁装置の弁座及び弁体が配置され、
該インナータンクの上部にボールタップが取り付けられ、
該アウタータンクの側面の上部に、該フロート弁装置のハンドルが取り付けられ、該ハンドルに連なるシャフトがインナータンクの側部の上側を通ってインナータンク内に延在しているロータンク設備において、
該インナータンクの左側面及び右側面にそれぞれボールタップの取付部が設けられていることを特徴とするロータンク設備。
【請求項２】
請求項１において、該インナータンクの左右の側部の上端に、それぞれ、該ハンドルのシャフトが通過しうる切欠状部が設けられていることを特徴とするロータンク設備。
【請求項３】
洋風便器の後部上面に設置されるロータンク設備であって、
アウタータンク及び該アウタータンク内に配置されたインナータンクを備え、
該インナータンクの底部にフロート弁装置の弁座及び弁体が配置され、
該インナータンクの上部にボールタップが取り付けられ、
該アウタータンクの側面の上部に、該フロート弁装置のハンドルが取り付けられ、該ハンドルに連なるシャフトがインナータンクの側部の上側を通ってインナータンク内に延在しているロータンク設備において、
該アウタータンクは、平面視形状が左右対称かつ前後対称であり、
該フロート弁装置の弁座が該アウタータンクの前後及び左右の中心に配置されていることを特徴とするロータンク設備。
【請求項４】
請求項３において、前記アウタータンクの側面上部の前後方向中間位置に、前記フロート弁装置のハンドルが取り付けられていることを特徴とするロータンク設備。
【請求項５】
洋風便器の後部上面に設置されるロータンク設備であって、
アウタータンク及び該アウタータンク内に配置されたインナータンクを備え、
該インナータンクの底部の左右方向の中央にフロート弁装置取付口が設けられ、
該フロート弁装置取付口にフロート弁装置の弁座部材が取り付けられ、
該弁座部材は、下方へ流出筒部が突設されており、
該インナータンクの上部にボールタップが取り付けられ、
該アウタータンクの側面の上部に、該フロート弁装置のハンドルが取り付けられ、該ハンドルに連なるシャフトがインナータンクの側部の上側を通ってインナータンク内に延在しているロータンク設備において、
該フロート弁装置取付口及び前記弁座部材は、該洋風便器の前後方向に延在しており、
該弁座部材は、前後の向きを逆にしても該フロート弁装置取付口に対し取り付け可能であり、
該アウタータンクに対しインナータンクの向きを１８０°回して左右逆にして設置したときに、前記流出筒部のアウタータンクに対する位置が、該インナータンクの向きを正として設置した場合の流出筒部の位置と同一であることを特徴とするロータンク設備。
【発明の詳細な説明】
【技術分野】
【０００１】
本発明は、洋風便器の後部上面に設置されるロータンク設備に係り、特にアウタータンク及びインナータンクを備えた二重式のロータンク設備に関する。
【背景技術】
【０００２】
アウタータンク内にインナータンクを配置した二重式のロータンク設備は、特開平１１−３２４０５８号、特開２００１−２１４４９４号などに見られる通り周知であり、また広く市販されている。
【０００３】
第９図〜第１２図は市販の二重式ロータンク設備の一例を示すものであり、第９図は正面図、第１０図は正面縦断面図、第１１図は第１０図のXI−XI線断面図、第１２図は水平断面図である。
【０００４】
このロータンク設備１０は、陶器製のアウタータンク１２と、該アウタータンク１２内に配置されたインナータンク１４とを有する。アウタータンク１２の上面には、陶器製の蓋１６が載設されている。インナータンク１４の側部の外面及び底部外面にそれぞれ断熱材１８が設けられている。
【０００５】
インナータンク１４の底部からは流出筒部２２が下方に突設されている。この流出筒部２２内がインナータンク１４内の水の放流口となっている。この流出筒部２２は、アウタータンク１２の底面の開口１２ａを通ってアウタータンク１２の下方に突出している。この流出筒部２２にナット２４が締め込まれることにより、アウタータンク１２とインナータンク１４とが連結されている。
【０００６】
この流出筒部２２の上端内周縁にフロート弁装置２０の弁座部材２５が固着されており、この弁座部材２５に対しフロート弁体２６が着座している。なお、この弁座部材２５に連なるようにオーバーフロー管２８が設けられている。このオーバーフロー管２８は、インナータンク１４内の貯水水位よりも若干上方にまで立ち上がっている。オーバーフロー管２８内は弁座部材２５内に連通している。
【０００７】
アウタータンク１２の底部からは１対のボルト２９が下方に突設されている。各ボルト２９は、洋風便器（図示略）の後部に設けられたボルト挿通孔に挿通される。各ボルト２９にナット締めされることにより、ロータンク設備が洋風便器に固定設置される。この際、流出筒部２２は、洋風便器後部上面の洗浄水受入口に内嵌される。
【０００８】
アウタータンク１２の右側面の上部にハンドル装置３０の取付孔１２ｂが設けられている。ハンドル装置３０のカラム３１が該取付孔１２ｂに挿通され、ナット３２により固定されている。このカラム３１にハンドルシャフト３３が挿通されている。該ハンドルシャフト３３の基端側（アウタータンク１２の外側）にハンドル３６が固着されている。ハンドルシャフト３３の先端側はＬ字形に曲成されており、該先端側に対しチェーン３４を介してフロート弁体２６が連結されている。ハンドル３６を回してフロート弁体２６を引き上げることにより、インナータンク１４内の水が流出筒部２２を経て洋風便器へ放出される。
【０００９】
インナータンク１４内に所定水位となるように水を供給するために、インナータンク１４の側面の上部にボールタップ４０が取り付けられている。ボールタップ４０は浮玉４２によって上下方向に回動するレバー４４を備えている。インナータンク１４からの放流により該レバー４４が下方に傾くとボールタップ４０が開栓状態となり、該ボールタップ４０からインナータンク１４内に水が流出する。インナータンク１４内の水位が所定水位まで上昇すると、レバー４４が略水平となり、ボールタップ４０が閉栓する。
【００１０】
この従来例では、ハンドル装置３０はアウタータンク１２の正面向って右側の側面（右側面）に設けられており、ボールタップ４０はインナータンク１４の正面向って左側の側面（左側面）に設けられている。このインナータンク１４の左側面と背面との交叉部は、インナータンク１４の中央側に向って凹陥する凹所となっており、ボールタップはこの凹所に臨む左向きの側面に設置されている。ボールタップ４０のレバー４４は左右方向に延在している。ボールタップ４０は、給水ホース４７を介して、トイレルーム壁面の止水栓４８に接続されている。この給水ホース４７は、アウタータンク１２の底面に設けられたホース挿通口を通ってアウタータンク１２外へ引き出されている。
【特許文献１】特開平１１−３２４０５８号
【特許文献２】特開２００１−２１４４９４号
【発明の開示】
【発明が解決しようとする課題】
【００１１】
第９図〜第１２図の従来例では、ロータンクのハンドル３６は正面向って右側の側面に設けられているが、トイレルームの構造などにより左側に設けることもある。
【００１２】
インナータンク内には、第１０図〜第１２図の通り、ボールタップやオーバーフロー管が配設されており、ハンドル装置のみを左右入れ替えるようにすることはできない。なお、第９図〜第１２図のものにおいて、ハンドル装置３０を左側面に設け、オーバーフロー管２８をフロート弁装置の右側に配置しても、ハンドルシャフト３２を回すとボールタップ４０に当ってしまう。
【００１３】
従来は、同一機種のロータンク設備であっても、右ハンドル用のアウタータンク及びインナータンクと左ハンドル用のアウタータンク及びインナータンクとを製造しておく必要があるため、コスト高であった。
【００１４】
本発明は、少なくともインナータンクを右ハンドル用及び左ハンドル用に共用することができ、コストダウンを図ることが可能なロータンク設備を提供することを目的とする。
【課題を解決するための手段】
【００１５】
本発明（請求項１）のロータンク設備は、洋風便器の後部上面に設置されるロータンク設備であって、アウタータンク及び該アウタータンク内に配置されたインナータンクを備え、該インナータンクの底部にフロート弁装置の弁座及び弁体が配置され、該インナータンクの上部にボールタップが取り付けられ、該アウタータンクの側面の上部に、該フロート弁装置のハンドルが取り付けられ、該ハンドルに連なるシャフトがインナータンクの側部の上側を通ってインナータンク内に延在しているロータンク設備において、該インナータンクの左側面及び右側面にそれぞれボールタップの取付部が設けられていることを特徴とするものである。
【００１６】
請求項２のロータンク設備は、請求項１において、該インナータンクの左右の側部の上端に、それぞれ、該ハンドルのシャフトが通過しうる切欠状部が設けられていることを特徴とするものである。
【００１７】
請求項３のロータンク設備は、洋風便器の後部上面に設置されるロータンク設備であって、アウタータンク及び該アウタータンク内に配置されたインナータンクを備え、該インナータンクの底部にフロート弁装置の弁座及び弁体が配置され、該インナータンクの上部にボールタップが取り付けられ、該アウタータンクの側面の上部に、該フロート弁装置のハンドルが取り付けられ、該ハンドルに連なるシャフトがインナータンクの側部の上側を通ってインナータンク内に延在しているロータンク設備において、該アウタータンクは、平面視形状が左右対称かつ前後対称であり、該フロート弁装置の弁座が該アウタータンクの前後及び左右の中心に配置されていることを特徴とするものである。
【００１８】
請求項４のロータンク設備は、請求項３において、前記アウタータンクの側面上部の前後方向中間位置に、前記フロート弁装置のハンドルが取り付けられていることを特徴とするものである。
【００１９】
請求項５のロータンク設備は、洋風便器の後部上面に設置されるロータンク設備であって、アウタータンク及び該アウタータンク内に配置されたインナータンクを備え、該インナータンクの底部の左右方向の中央にフロート弁装置取付口が設けられ、該フロート弁装置取付口にフロート弁装置の弁座部材が取り付けられ、該弁座部材は、下方へ流出筒部が突設されており、該インナータンクの上部にボールタップが取り付けられ、該アウタータンクの側面の上部に、該フロート弁装置のハンドルが取り付けられ、該ハンドルに連なるシャフトがインナータンクの側部の上側を通ってインナータンク内に延在しているロータンク設備において、該フロート弁装置取付口及び前記弁座部材は、該洋風便器の前後方向に延在しており、該弁座部材は、前後の向きを逆にしても該フロート弁装置取付口に対し取り付け可能であり、該アウタータンクに対しインナータンクの向きを１８０°回して左右逆にして設置したときに、前記流出筒部のアウタータンクに対する位置が、該インナータンクの向きを正として設置した場合の流出筒部の位置と同一であることを特徴とするものである。
【発明の効果】
【００２０】
請求項１のロータンク設備にあっては、インナータンクの左側面及び右側面の双方にボールタップの取付部が設けられているため、ハンドルが左側面及び右側面のいずれに設けられているアウタータンクに対しても全く同一のインナータンクを設置することができる。
【００２１】
請求項２のロータンク設備にあっては、ハンドルシャフトが通過しうる切欠状部がインナータンクの左右の側部上端に設けられているので、ハンドルをアウタータンクの左側面及び右側面のいずれに設ける場合でも、インナータンクの高さを高くすることができる。
【００２２】
請求項３のロータンク設備にあっては、インナータンクを収容したアウタータンクを１８０°回して左右逆に設置することができる。従って、同一品番のインナータンク付きアウタータンクを左ハンドル用及び右ハンドル用のいずれにも用いることができる。
【００２３】
請求項４のロータンク設備にあっては、インナータンク付きアウタータンクを１８０°回して逆に設置した場合でも、ハンドルがアウタータンクの側面の前後方向中央に位置することになる。従って、ハンドルがアウタータンクの左側面及び右側面のいずれに設置されていても、過度に奥に配置されることがない。
【００２４】
請求項５のロータンク設備にあっては、インナータンクを１８０°回して前後左右逆にしても、該流出筒部の位置を不変とすることができる。従って、左ハンドル型及び右ハンドル型のいずれとしてロータンク設備を便器上に設置した場合でも、該ロータンク設備を前後にずれなく同じ位置に配置することができる。
【発明を実施するための最良の形態】
【００２５】
以下、図面を参照して実施の形態について説明する。第１図は請求項１，２の発明の実施の形態に係るロータンク設備を右ハンドル型として使用した状態を示すものであり、（ａ）図はこのロータンク設備の水平断面図、（ｂ）図は正面縦断面図である。第２図は第１図のロータンク設備のインナータンクを用いた左ハンドル型のロータンク設備を示すものであり、（ａ）図はこのロータンク設備の水平断面図、（ｂ）図は正面縦断面図である。
【００２６】
第１図のロータンク設備１０Ａは、右ハンドル型アウタータンク１２Ｒ内にインナータンク１４Ａを配置したものであり、第２図のロータンク設備１０Ｂは、左ハンドル型アウタータンク１２Ｌ内に、該ロータンク設備１０Ａのものと同一品番のインナータンク１４Ａを配置したものである。
【００２７】
該右ハンドル型アウタータンク１２Ｒにあっては、正面向って右側の側面（右側面）の上部の手前側（前後方向の中間よりもタンク前面側）にハンドル装置３０の取付孔１２ｂが設けられており、左ハンドル型アウタータンク１２Ｌにあっては、正面向って左側の側面（左側面）の上部の手前側に該取付孔１２ｂが設けられている。該取付孔１２ｂにハンドル装置３０のカラム３１が挿通されてナット３２により固定され、このカラム３１にハンドルシャフト３３が挿通されている。該ハンドルシャフト３３の基端側（アウタータンク１２Ｌ，１２Ｒの外側）にハンドル３６が固着されている。
【００２８】
この実施の形態では、第１図（ａ）及び第２図（ａ）に示すように、インナータンク１４Ａは、正面向って左側及び右側の各側面と背面との交叉部がそれぞれインナータンク１４Ａの中央側に凹嵌する凹所となっており、左側の凹所の左向き面と、右側の凹所の右向き面とに、それぞれ、ボールタップ４０の取付孔５０Ｌ，５０Ｒが設けられている。
【００２９】
また、このインナータンク１４Ａの左側面及び右側面（各側面のうち前記凹所よりもタンク前面側の領域）の上端には、それぞれ、ハンドルシャフト３３のインナータンク１４Ａ内への通過を許容する切欠状部５２Ｌ，５２Ｒが設けられている。この右側の切欠状部５２Ｒに右ハンドル型アウタータンク１２Ｒの取付孔１２ｂが臨み、左側の切欠状部５２Ｌに左ハンドル型アウタータンク１２Ｌの取付孔１２ｂが臨む。
【００３０】
なお、この実施の形態でも、インナータンク１４Ａの底部から水の放流口としての流出筒部２２が下方に突設されており、この流出筒部２２が、アウタータンク１２Ｌ，１２Ｒの底面の開口（図示略。第１１図参照。）を通ってアウタータンク１２Ｌ，１２Ｒの下方に突出している。そして、この流出筒部２２にナット２４が締め込まれることにより、アウタータンク１２Ｌ，１２Ｒとインナータンク１４Ａとが連結されている。
【００３１】
この流出筒部２２の上端内周縁にフロート弁装置２０の弁座部材２５が固着されており、この弁座部材２５に対しフロート弁体２６が着座している。また、この弁座部材２５に連なるように、インナータンク１４Ａ内の貯水水位よりも若干上方にまで立ち上がるオーバーフロー管２８が設けられている。この実施の形態では、該弁座部材２５を回転させることにより、該オーバーフロー管２８をフロート弁装置２０の左側及び右側のいずれにも配置しうるようになっている。
【００３２】
右ハンドル型ロータンク設備１０Ａにおいては、ハンドルシャフト３３は、インナータンク１４Ａの右側面の切欠状部５２Ｒを通ってインナータンク１４Ａの内側へ入り込んでいる。この実施の形態でも、該ハンドルシャフト３３の先端側がＬ字形に曲成されており、該先端側に対しチェーン３４を介してフロート弁体２６が連結されている。
【００３３】
また、ボールタップ４０は、インナータンク１４Ａの左側面の取付孔５０Ｌに取り付けられている。詳しくは、該ボールタップ４０は、その本体部の基端側がインナータンク１４Ａの内側から該取付孔５０Ｌに挿通され、該インナータンク１４Ａの外側から固定具（符号略）によって固定されている。
【００３４】
該ボールタップ４０に接続された給水ホース４７は、インナータンク１４Ａの左側面の凹所内を下方に引き回され、アウタータンク１２Ｒの底部の左奥側に設けられたホース挿通口（図示略）を介して該アウタータンク１２Ｒ外に引き出され、止水栓４８に接続されている。
【００３５】
オーバーフロー管２８はフロート弁装置２０（弁座部材２５）の左側に配置されている。
【００３６】
一方、左ハンドル型ロータンク設備１０Ｂにおいては、ハンドルシャフト３３は、インナータンク１４Ａの左側面の切欠状部５２Ｌを通ってインナータンク１４Ａの内側に入り込み、その先端側がチェーン３４を介してフロート弁体２６と連結されている。
【００３７】
また、ボールタップ４０は、インナータンク１４Ａの右側面の取付孔５０Ｒに取り付けられている。このボールタップ４０の取付孔５０Ｒへの取付構造は、前述の取付孔５０Ｌへの取付構造と同様である。このボールタップ４０に接続された給水ホース４７は、インナータンク１４Ａの右側面の凹所内を下方に引き回され、アウタータンク１２Ｌの底部の右奥側に設けられたホース挿通口（図示略）を介して該アウタータンク１２Ｌ外に引き出され、止水栓４８に接続されている。
【００３８】
オーバーフロー管２８は、フロート弁装置２０の右側に配置されている。
【００３９】
これらのロータンク設備１０Ａ，１０Ｂのその他の構成は、前述の第９〜１２図のロータンク設備１０と同様となっており、第１，２図において第９〜１２図と同一符号は同一部分を示している。
【００４０】
この実施の形態にあっては、インナータンク１４Ａは、その右側面及び左側面の双方にボールタップ４０の取付孔５０Ｒ，５０Ｌを有しているので、このインナータンク１４Ａを右ハンドル型アウタータンク１２Ｒと左ハンドル型アウタータンク１２Ｌのどちらにも設置することができる。
【００４１】
また、この実施の形態では、インナータンク１４Ａの右側面及び左側面の双方の上端部に、ハンドルシャフト３３が通過しうる切欠状部５２Ｒ，５２Ｌが設けられているので、このインナータンク１４Ａを右ハンドル型アウタータンク１２Ｒ、左ハンドル型アウタータンク１２Ｌのどちらに設置する場合でも、インナータンク１４Ａの高さを高いものとすることができる。
【００４２】
第３図は請求項３，４の発明の実施の形態に係るロータンク設備を右ハンドル型として用いたものを示しており、（ａ）図はこのロータンク設備の水平断面図、（ｂ）図は正面縦断面図である。第４図は、第３図のロータンク設備を左ハンドル型として用いたものを示す図であり、（ａ）図はこのロータンク設備の水平断面図、（ｂ）図は正面縦断面図である。
【００４３】
ロータンク設備１０Ｃは、アウタータンク１２Ｃ内にインナータンク１４Ｃを配置したものである。このアウタータンク１２Ｃは、第３図（ａ）及び第４図（ａ）の通り、平面視形状（水平面への投影像の形状）が左右対称かつ前後対称となっている。このアウタータンク１２Ｃにあっては、その底部の前後及び左右の中心に、インナータンク１４Ｃの放流筒部２２の挿通用開口（図示略）が設けられている。また、このアウタータンク１２Ｃの一方の側面の上部に、ハンドル装置３０の取付孔１２ｂが設けられている。なお、この実施の形態では、該取付孔１２ｂは、該側面の上部の前後方向中間位置に配置されている。
【００４４】
この実施の形態では、インナータンク１４Ｃの底部の前後及び左右の中心から下方に向って水の放流口としての流出筒部２２が突設されており、この流出筒部２２がアウタータンク１２Ｃの底部の中心の前記開口を通って該アウタータンク１２Ｃの下方に突出している。そして、この流出筒部２２にナット２４が締め込まれることにより、アウタータンク１２Ｃとインナータンク１４Ｃとが連結されている。
【００４５】
この流出筒部２２の上縁内周にフロート弁装置２０の弁座部材２５が固着され、この弁座部材２５にフロート弁体２６が着座している。即ち、このロータンク設備１０Ｃにおいては、該弁座部材２５は、アウタータンク１２Ｃの底面の前後及び左右の中心に配置されている。
【００４６】
なお、この実施の形態でも、アウタータンク１２Ｃの底部外面から下方に向って１対のボルト２９が突設されている。これらのボルト２９は、流出筒部２２の左右両側に設けられており、それぞれ、アウタータンク１２Ｃの底部の前後方向の中間であって、該流出筒部２２の中心から等距離となる位置に配置されている。
【００４７】
この実施の形態でも、インナータンク１４Ｃの一方の側面と背面との交叉部が該インナータンク１４Ｃの中央側に向って凹嵌する凹所となっており、この凹所に臨む横向き面の上部に、ボールタップ４０の取付孔５０Ｃが設けられている。このボールタップ４０の取付孔５０Ｃへの取付構造は、前述のインナータンク１４Ａの取付孔５０Ｒ，５０Ｌへの取付構造と同様である。
【００４８】
また、このインナータンク１４Ｃの他方の側面の上端には、ハンドル装置３０のシャフト３３の通過を許容する切欠状部５２Ｃが設けられている。この切欠状部５２Ｃに、アウタータンク１２Ｃの前記取付孔１２ｂが臨んでいる。
【００４９】
この実施の形態でも、該取付孔１２ｂにハンドル装置３０のカラム３１が挿通されてナット３２により固定され、このカラム３１にハンドルシャフト３３が挿通されている。そして、該ハンドルシャフト３３の基端側（アウタータンク１２Ｃの外側）にハンドル３６が固着されている。このハンドルシャフト３３は、切欠状部５２Ｃを通ってインナータンク１４Ｃ内に入り込んでおり、その先端側に対しチェーン３４を介してフロート弁体２６が連結されている。
【００５０】
このロータンク設備１０Ｃのその他の構成は前述の第９〜１２図のロータンク設備１０と同様となっている。
【００５１】
このロータンク設備１０Ｃにあっては、アウタータンク１２Ｃの平面視形状が左右対称及び前後対称となっていると共に、フロート弁装置２０の弁座部材２５（インナータンク１４Ｃの流出筒部２２）が該アウタータンク１２Ｃの底部の前後及び左右の中心に配置されているので、このアウタータンク１２Ｃを１８０°回して左右逆に設置することができる。そのため、このロータンク設備１０Ｃは、右ハンドル用及び左ハンドル用のいずれにも用いることができる。
【００５２】
また、この実施の形態では、ハンドル装置３０の取付孔１２ｂをアウタータンク１２Ｃの側面の前後方向中間位置に配置しているので、ハンドル３６がアウタータンク１２Ｃの右側面及び左側面のいずれに配置されていても、過度に奥側に位置することがない。
【００５３】
第５図は請求項５の発明の実施の形態に係るロータンク設備を右ハンドル型として使用した状態を示すものであり、（ａ）図はこのロータンク設備の水平断面図、（ｂ）図は正面縦断面図である。第６図は第５図のVI−VI線断面図であり、第７図はこのロータンク設備の底部の分解斜視図である。第８図はこのインナータンクを用いた左ハンドル型のロータンク設備の水平断面図である。
【００５４】
第５図のロータンク設備１０Ｄは、右ハンドル型アウタータンク１２Ｒ’内にインナータンク１４Ｄを配置したものであり、第８図のロータンク設備１０Ｅは、左ハンドル型アウタータンク１２Ｌ’内に、該ロータンク設備１０Ｄのものと同一品番のインナータンク１４Ｄを配置したものである。
【００５５】
この実施の形態では、アウタータンク１２Ｒ’，１２Ｌ’のいずれにおいても、その底部の左右及び前後の中心よりも前側に、インナータンク１４Ｄの水の放流口としての流出筒部２２Ｄが挿通される開口１２ａ’（第６図）が配置されている。なお、各アウタータンク１２Ｒ’，１２Ｌ’内にインナータンク１４Ｄが配置された状態において、各アウタータンク１２Ｒ’，１２Ｌ’の底部の左右及び前後の中心はインナータンク１４Ｄの底部の左右及び前後の中心とほぼ一致するようになっている。これらのアウタータンク１２Ｒ’，１２Ｌ’のその他の構成は、それぞれ前述の第１，２図のアウタータンク１２Ｒ，１２Ｌと同様となっている。
【００５６】
インナータンク１４Ｄの底部の左右の中心には、前後に長く延在する長円形状のフロート弁装置取付口６０が穿設されている。この実施の形態では、第７図に示す通り、フロート弁装置２０Ｄの弁座部材２５Ｄは、このフロート弁装置取付口６０に内嵌する長円形板状の台座部６１を有している。この台座部６１の長軸方向の一半側の下面から、前記流出筒部２２Ｄが下方に向って突設されている。この流出筒部２２Ｄの内孔は台座部６１を貫通して該台座部６１の上面側に連通しており、この流出筒部２２Ｄの上端側の周縁部に、フロート弁体２６が着座する弁座６２が周設されている。
【００５７】
台座部６１の上面外周からは、フロート弁装置取付口６０の周縁部に重なるフランジ６１ｆが突設されている。このフランジ６１ｆとフロート弁装置取付口６０の周縁部との間にはパッキン６３が配設されている。なお、台座部６１の側周面には、該フロート弁装置取付口６０の内周面と該台座部６１の側周面との間をシールするパッキン（Ｏリング）６４が装着されている。
【００５８】
この実施の形態でも、インナータンク１４Ｄの一方の側面と背面との交叉部が該インナータンク１４Ｄの中央側に向って凹嵌する凹所となっており、この凹所に臨む横向き面の上部に、ボールタップ４０の取付孔５０Ｄが設けられている。このボールタップ４０の取付孔５０Ｄへの取付構造は、前述のインナータンク１４Ａの取付孔５０Ｒ，５０Ｌへの取付構造と同様である。
【００５９】
また、このインナータンク１４Ｄの他方の側面の上端には、ハンドル装置３０のシャフト３３の通過を許容する切欠状部５２Ｄが設けられている。
【００６０】
右ハンドル型ロータンク設備１０Ｄにおいては、インナータンク１４Ｄは、この切欠状部５２Ｄが設けられた側面を右側にしてアウタータンク１２Ｒ’内に配置される。該切欠状部５２Ｄは、アウタータンク１２Ｒ’の右側面のハンドル装置取付孔１２ｂに臨む。
【００６１】
なお、この実施の形態でも、該取付孔１２ｂにハンドル装置３０のカラム３１が挿通されてナット３２により固定され、このカラム３１にハンドルシャフト３３が挿通される。ハンドルシャフト３３は、該切欠状部５２Ｄを通ってインナータンク１４Ｄ内に入り込む。そして、このハンドルシャフト３３の先端側にチェーン３４を介してフロート弁体２６が連結される。ハンドルシャフト３３の基端側（アウタータンク１２Ｒ’の外側）には、ハンドル３６が取り付けられる。
【００６２】
アウタータンク１２Ｒ’の底部の開口１２ａ’は、フロート弁装置取付口６０に対し、該フロート弁装置取付口６０の長軸方向（前後方向）の中心よりも前側にずれて重なる。従って、台座部６１は、このフロート弁装置取付口６０に対し、流出筒部２２Ｄを前側にして嵌め込まれる。これにより、流出筒部２２Ｄが該開口１２ａ’に挿通され、その先端側がアウタータンク１２Ｒ’の下方に突出する。そして、この流出筒部２２Ｄの先端側にナット２４が締め込まれることにより、該台座部６１がアウタータンク１２Ｒ’に固定され、インナータンク１４Ｄの底部（フロート弁装置取付口６０の周縁部）がフランジ６１ｆとアウタータンク１２Ｒ’の底部とによって挟持される。
【００６３】
一方、左ハンドル型ロータンク設備１０Ｅにおいては、インナータンク１４Ｄは、切欠状部５２Ｄが設けられた側面を左側にして（即ち、右ハンドル型ロータンク設備１０Ｄに用いた場合と前後逆にして）アウタータンク１２Ｌ’内に配置される。この場合、該切欠状部５２Ｄは、アウタータンク１２Ｌ’の左側面のハンドル装置取付孔１２ｂに臨む。
【００６４】
この左ハンドル型ロータンク設備１０Ｅにおいても、アウタータンク１２Ｌ’の底部の開口１２ａ’は、フロート弁装置取付口６０に対し、該フロート弁装置取付口６０の長軸方向の中心よりも前側（ロータンク設備１０Ｄに用いられた場合には後側であった側）にずれて重なるので、台座部６１は、このフロート弁装置取付口６０に対し、流出筒部２２Ｄを前側にして嵌め込まれる。これにより、流出筒部２２Ｄが該開口１２ａ’に挿通され、その先端側がアウタータンク１２Ｌ’の下方に突出する。そして、この流出筒部２２Ｄの先端側にナット２４が締め込まれることにより、該台座部６１がアウタータンク１２Ｌ’に固定され、インナータンク１４Ｄの底部（フロート弁装置取付口６０の周縁部）がフランジ６１ｆとアウタータンク１２Ｌ’の底部との間に挟持される。
【００６５】
この実施の形態にあっては、インナータンク１４Ｄの前後向き及びフロート弁装置２０Ｄの前後向きを逆にした場合の流出筒部２２Ｄの位置が、インナータンク１４Ｄ及びフロート弁装置２０Ｄの向きをいずれも正とした場合と同一となる。このため、インナータンク１４Ｄを右ハンドル型のアウタータンク１２Ｒ’及び左ハンドル型のアウタータンク１２Ｌ’のいずれに設置する場合でも、流出筒部２２Ｄを開口１２ａ’に挿通することができる。
【００６６】
上記の各実施の形態はいずれも本発明の一例を示すものであり、本発明は上記の実施の形態に限定されない。
【図面の簡単な説明】
【００６７】
【図１】請求項１，２の発明の実施の形態に係るロータンク設備を右ハンドル型として使用した状態を示す図である。
【図２】図１のロータンク設備のインナータンクを用いた左ハンドル型のロータンク設備を示す図である。
【図３】請求項３，４の発明の実施の形態に係るロータンク設備を右ハンドル型として用いたものを示す図である。
【図４】図３のロータンク設備のインナータンクを左ハンドル型として用いたものを示す図である。
【図５】請求項５の発明の実施の形態に係るロータンク設備を右ハンドル型として用いたものを示す図である。
【図６】図５のVI−VI線に沿う断面図である。
【図７】図５のロータンク設備のインナータンク底部の分解斜視図である。
【図８】図５のロータンク設備を左ハンドル型として用いたものを示す図である。
【図９】従来例に係る二重式ロータンク設備の正面図である。
【図１０】図９の二重式ロータンク設備の正面縦断面図である。
【図１１】図１０のＸ−Ｘ線断面図である。
【図１２】図９の二重式ロータンク設備の水平断面図である。
【符号の説明】
【００６８】
１０，１０Ａ，１０Ｂ，１０Ｃ，１０Ｄ  ロータンク設備
１２，１２Ｒ，１２Ｌ，１２Ｃ，１２Ｄ  アウタータンク
１２ｂ  ハンドル装置の取付孔
１４，１４Ａ，１４Ｃ  インナータンク
２０，２０Ｄ  フロート弁装置
２２，２２Ｄ  流出筒部
２５，２５Ｄ  弁座部材
２６  フロート弁体
２８  オーバーフロー管
３０  ハンドル装置
３３  ハンドルシャフト
３６  ハンドル
４０  ボールタップ
５０Ｒ，５０Ｌ，５０Ｃ，５０Ｄ  ボールタップの取付孔
５２Ｒ，５２Ｌ，５２Ｃ，５２Ｄ  切欠状部
６０  フロート弁装置取付口
６１  台座部
６２  弁座
【図１】
2006194008.tif 000003
【図２】
2006194008.tif 000004
【図３】
2006194008.tif 000005
【図４】
2006194008.tif 000006
【図５】
2006194008.tif 000007
【図６】
2006194008.tif 000008
【図７】
2006194008.tif 000009
【図８】
2006194008.tif 000010
【図９】
2006194008.tif 000011
【図１０】
2006194008.tif 000012
【図１１】
2006194008.tif 000013
【図１２】
2006194008.tif 000014